(57)【要約】【課題】複数のユーザに対してチケットやクーポンなどにより表章される権利を提供することができるようにする。【解決手段】配信サーバ２０は、モバイル端末１０に提供する、特典を受け取る権利を表章するクーポンを記憶するクーポンデータベース２４２と、モバイル端末１０の数に応じてクーポンを分割した分割クーポンをモバイル端末１０のそれぞれに送信するクーポン送信部２２６とを備えるようにする。
2014006710.tif 000002
【特許請求の範囲】
【請求項１】
複数のユーザに与える権利を提供する装置であって、
前記ユーザに与える前記権利を表章する情報である権利情報を記憶する権利情報記憶部と、
前記ユーザの数に応じて前記権利情報を分割した分割情報を前記ユーザのユーザ端末のそれぞれに送信する権利情報送信部と、
を備えることを特徴とする権利提供装置。
【請求項２】
請求項１に記載の権利提供装置であって、
前記ユーザに前記権利を与える旨の通知を前記ユーザ端末に送信する通知送信部と、
前記通知に応じて前記ユーザ端末から送信される前記権利の受取要求を受信する受取要求受信部と、
をさらに備え、
前記権利情報送信部は、
前記受取要求を送信した前記ユーザ端末である受取端末を特定し、
前記受取端末の数に応じて前記権利情報を分割し、
前記受取端末のみに前記分割情報を送信すること、
を特徴とする権利提供装置。
【請求項３】
請求項２に記載の権利提供装置であって、
前記権利情報送信部は、前記受取端末の数が所定数以上である場合にのみ前記分割情報を送信すること、
を特徴とする権利提供装置。
【請求項４】
請求項３に記載の権利提供装置であって、
前記権利情報記憶部は、分割する数に応じて異なる前記権利情報を記憶し、
前記権利情報送信部は、前記受取端末の数に対応する前記権利情報を前記権利情報記憶部から読み出し、読み出した前記権利情報を前記受取端末の数に応じて分割すること、
を特徴とする権利提供装置。
【請求項５】
請求項２に記載の権利提供装置であって、
前記受取要求には前記ユーザ端末の位置が含まれ、
前記権利情報送信部は、
前記受取要求に含まれる前記位置が所定の位置を基準とする所定範囲に含まれるか否かを判定し、
前記受取要求を送信した前記ユーザ端末のうち、前記位置が前記所定範囲に含まれるものを前記受取端末として特定すること、
を特徴とする権利提供装置。
【請求項６】
請求項１に記載の権利提供装置であって、
前記権利情報送信部は、前記複数のユーザ端末のうちの１つの第１の前記ユーザ端末に対してのみ前記権利情報の全部を送信し、前記第１のユーザ端末以外の第２の前記ユーザ端末に対しては、前記第１のユーザ端末に表示される前記権利情報を閲覧するように指示するメッセージを送信すること、
を特徴とする権利提供装置。
【請求項７】
請求項１に記載の権利提供装置であって、
前記ユーザ端末のそれぞれに対して前記権利を与える通知を送信する通知送信部と、
前記通知に応じて前記ユーザ端末から送信され前記ユーザ端末の位置を含む前記権利の受取要求を受信する受取要求受信部と、
をさらに備え、
前記権利情報送信部は、
前記受取要求に含まれる前記位置が第１の前記ユーザ端末の位置を基準とする所定範囲に含まれるか否かを判定し、
前記受取要求を送信した前記ユーザ端末のうち、前記位置が前記所定範囲に含まれるものを前記受取端末として特定すること、
を特徴とする権利提供装置。
【請求項８】
複数のユーザ端末に権利を提供する方法であって、
コンピュータが、
前記ユーザ端末に提供する前記権利を表章する情報である権利情報を記憶するステップと、
前記ユーザ端末の数に応じて前記権利情報を分割した分割情報を前記ユーザ端末のそれぞれに重複なく送信するステップと、
を実行することを特徴とする権利提供方法。
【発明の詳細な説明】
【技術分野】
【０００１】
本発明は、権利提供装置および権利提供方法に関する。
【背景技術】
【０００２】
インターネットの普及に伴い各種のチケットやクーポンなどを電子的に発行することが行われている。特許文献１では、クーポンの利用履歴を分析して次回購入時期に優先的に対象商品のクーポンを提示することでユーザが所望のクーポンを容易に得られるようにすることが開示されている。
【先行技術文献】
【特許文献】
【０００３】
【特許文献１】特開２０１１−２４３０４１号公報
【発明の概要】
【発明が解決しようとする課題】
【０００４】
映画館のペアシートや飲食店のテーブルなど、複数ユーザのグループを単位として商品もしくはサービスを提供しあるいは特典を提供したい状況が存在する。しかしながら、従来技術では電子チケットや電子クーポンなどの発行はユーザ個人別に配信することを前提としており、グループを対象としてクーポンを配信することができない。【０００５】
本発明は、このような背景を鑑みてなされたものであり、複数のユーザに対してチケットやクーポンなどに表章される権利を提供することのできる、権利提供装置および権利提供方法を提供することを目的とする。
【課題を解決するための手段】
【０００６】
上記課題を解決するための本発明の主たる発明は、複数のユーザに与える権利を提供する装置であって、前記ユーザに与える前記権利を表章する情報である権利情報を記憶する権利情報記憶部と、前記ユーザの数に応じて前記権利情報を分割した分割情報を前記ユーザのユーザ端末のそれぞれに送信する権利情報送信部と、を備えることとする。【０００７】
また、本発明の権利提供装置は、前記ユーザに前記権利を与える旨の通知を前記ユーザ端末に送信する通知送信部と、前記通知に応じて前記ユーザ端末から送信される前記権利の受取要求を受信する受取要求受信部と、をさらに備え、前記権利情報送信部は、前記受取要求を送信した前記ユーザ端末である受取端末を特定し、前記受取端末の数に応じて前記権利情報を分割し、前記受取端末のみに前記分割情報を送信するようにしてもよい。【０００８】
また、本発明の権利提供装置では、前記権利情報送信部は、前記受取端末の数が所定数以上である場合にのみ前記分割情報を送信するようにしてもよい。【０００９】
また、本発明の権利提供装置では、前記権利情報記憶部は、分割する数に応じて異なる前記権利情報を記憶し、前記権利情報送信部は、前記受取端末の数に対応する前記権利情報を前記権利情報記憶部から読み出し、読み出した前記権利情報を前記受取端末の数に応じて分割するようにしてもよい。【００１０】
また、本発明の権利提供装置では、前記受取要求には前記ユーザ端末の位置が含まれ、前記権利情報送信部は、前記受取要求に含まれる前記位置が所定の位置を基準とする所定範囲に含まれるか否かを判定し、前記受取要求を送信した前記ユーザ端末のうち、前記位置が前記所定範囲に含まれるものを前記受取端末として特定するようにしてもよい。【００１１】
また、本発明の権利提供装置では、前記権利情報送信部は、前記複数のユーザ端末のうちの１つの第１の前記ユーザ端末に対してのみ前記権利情報の全部を送信し、前記第１のユーザ端末以外の第２の前記ユーザ端末に対しては、前記第１のユーザ端末に表示される前記権利情報を閲覧するように指示するメッセージを送信するようにしてもよい。【００１２】
また、本発明の権利提供装置は、前記ユーザ端末のそれぞれに対して前記権利を与える通知を送信する通知送信部と、前記通知に応じて前記ユーザ端末から送信され前記ユーザ端末の位置を含む前記権利の受取要求を受信する受取要求受信部と、をさらに備え、前記権利情報送信部は、前記受取要求に含まれる前記位置が第１の前記ユーザ端末の位置を基準とする所定範囲に含まれるか否かを判定し、前記受取要求を送信した前記ユーザ端末のうち、前記位置が前記所定範囲に含まれるものを前記受取端末として特定するようにしてもよい。【００１３】
本発明の他の態様は、複数のユーザ端末に権利を提供する方法であって、コンピュータが、前記ユーザ端末に提供する前記権利を表章する情報である権利情報を記憶するステップと、前記ユーザ端末の数に応じて前記権利情報を分割した分割情報を前記ユーザ端末のそれぞれに重複なく送信するステップと、を実行することとする。【００１４】
その他本願が開示する課題やその解決方法については、発明の実施形態の欄及び図面により明らかにされる。
【発明の効果】
【００１５】
本発明によれば、複数のユーザに対してチケットやクーポンなどにより表章される権利を提供することができる。
【図面の簡単な説明】
【００１６】
【図１】本実施形態に係るクーポン配信システムの構成例を示す図である。
【図２】モバイル端末１０のハードウェア構成例を示す図である。
【図３】モバイル端末１０のソフトウェア構成例を示す図である。
【図４】配信サーバ２０のハードウェア構成例を示す図である。
【図５】配信サーバ２０のソフトウェア構成例を示す図である。
【図６】グループデータベース２４１に記憶されるグループ情報の構成例を示す図である。
【図７】クーポンデータベース２４２に記憶されるクーポン情報の構成例を示す図である。
【図８】本実施形態のクーポン配信システムにおいて実行されるクーポンの配信処理の流れを説明する図である。
【図９】クーポン通知受信部１２１が通知メッセージを表示している状況を説明する図である。
【図１０】通知メッセージ５１１が表示される画面５１の一例を示す図である。
【図１１】通知メッセージ５１１が表示される画面５１の一例を示す図である。
【図１２】クーポン受取要求送信後の画面５２の一例を示す図である。
【図１３】クーポンの発行処理の流れを説明する図である。
【図１４】２つのモバイル端末１０に表示される画面５３１および５３２の例を示す図である。
【図１５】クーポンの一部が３つのモバイル端末１０のそれぞれに表示される例を示す図である。
【図１６】３つのモバイル端末１０のうち代表ユーザのものにクーポンの全部が表示されて他のモバイル端末１０にはクーポンの内容は何も表示されない例を示す図である。
【発明を実施するための形態】
【００１７】
＝＝概要＝＝
以下、本発明の一実施形態に係るクーポン配信システムについて説明する。本実施形態のクーポン配信システムは、複数のユーザに対してクーポンを配布するものであり、クーポンを分割し、分割されたクーポン（以下、分割クーポンという。）をそれぞれのユーザに配布することで、複数のユーザが共同しなければクーポンに係る特典を受けることができないようにしようとするものである。本実施形態のクーポン配信システムにおいて配信されるクーポンとは、商品やサービスについての割引などの特典を受ける権利が表章された情報である。
【００１８】
＝＝システム構成＝＝
図１は本実施形態に係るクーポン配信システムの構成例を示す図である。本実施形態のクーポン配信システムは、複数のモバイル端末１０と配信サーバ２０とを含んで構成される。
【００１９】
モバイル端末１０は、ユーザが操作するコンピュータである。本実施形態では、モバイル端末１０としては、タッチパネルディスプレイを介した入出力を行ういわゆるスマートフォンやタブレットコンピュータのようなデバイスを想定している。
【００２０】
配信サーバ２０は、クーポンを配信する、たとえばパーソナルコンピュータやワークステーションなどのコンピュータである。本実施形態では、配信サーバ２０は分割クーポンを作成して、モバイル端末１０に送信する。
【００２１】
モバイル端末１０と配信サーバ２０とは通信ネットワーク３０を介して通信可能に接続される。通信ネットワーク３０は、たとえば公衆電話回線網、携帯電話回線網、イーサネット（登録商標）、無線通信路などにより構成される、インターネット、ＬＡＮ（Local Area Network）、ＶＡＮ（Value Added Network）などである。本実施形態では、通信ネットワーク３０においてはＴＣＰ／ＩＰにより通信が行われていることを想定している。
【００２２】
＝＝モバイル端末１０の構成＝＝
図２はモバイル端末１０のハードウェア構成例を示す図である。モバイル端末１０は、タッチパネルディスプレイ１０１、ディスプレイコントローラ１０２、無線通信機１０３、ＣＰＵ（Central Processing Unit）１０４、ＧＰＳ（Global Positioning System）受信機１０５、フラッシュメモリ１０６およびＲＡＭ（Random Access Memory）１０７を備える。フラッシュメモリ１０６は、各種のデータやプログラムを記憶する記憶装置である。フラッシュメモリ１０６に代えて、ハードディスクドライブやソリッドステートドライブなどの記憶装置を採用してもよい。ＣＰＵ１０４は、フラッシュメモリ１０６に記憶されているプログラムをＲＡＭ１０７に読み出して実行することにより各種の機能を実現する。ＧＰＳ受信機１０５は、ＧＰＳ衛星からの測位信号を受信する受信機である。ディスプレイコントローラ１０２は、タッチパネルディスプレイ１０１への情報の表示やタッチパネルディスプレイ１０１における指のタッチ、スワイプなどを検出して、ユーザからのデータの入力を受け付ける。
【００２３】
図３は、モバイル端末１０のソフトウェア構成例を示す図である。モバイル端末１０は、クーポン通知受信部１２１、クーポン受取指示入力部１２２、測位部１２３、クーポン受取要求送信部１２４、クーポン受信部１２５およびクーポン表示部１２６を備える。クーポン通知受信部１２１、クーポン受取指示入力部１２２、測位部１２３、クーポン受取要求送信部１２４、クーポン受信部１２５およびクーポン表示部１２６は、モバイル端末１０が備えるＣＰＵ１０４がフラッシュメモリ１０６に記憶されているプログラムをＲＡＭ１０７に読み出して実行することにより実現される。
【００２４】
クーポン通知受信部１２１は、クーポンを発行する旨の通知（以下、クーポン通知という。）を配信サーバ２０から受信する。クーポン通知には、発行されるクーポンを示す情報（以下、クーポンＩＤという。）と、クーポンに関するメッセージ（以下、通知メッセージという。）とが含まれる。
【００２５】
クーポン受取指示入力部１２２は、ユーザがクーポンを受け取るか否かの指示を受け付ける。クーポン受取指示入力部１２２は、クーポン通知受信部１２１が受信した通知メッセージをタッチパネルディスプレイ１０１に表示してユーザにクーポンが発行される旨を通知するとともに、当該クーポンを受け取るか否かの入力を受け付ける。
【００２６】
測位部１２３は、モバイル端末１０の現在位置を測定する。測位部１２３は、ＧＰＳ受信機１０５が受信した測位信号に基づいて周知の手法によりモバイル端末１０の地図上の現在位置を測定するものとする。測位部１２３が計測した現在位置は、たとえば緯度および経度により表現される。
【００２７】
クーポン受取要求送信部１２４は、クーポンのリクエスト（以下、クーポン受取要求という。）を配信サーバ２０に送信する。クーポン受取要求には、クーポン通知に含まれていたクーポンＩＤと、モバイル端末１０のユーザを示すユーザＩＤと、測位部１２３が計測したモバイル端末１０の現在位置とが設定される。
【００２８】
クーポン受信部１２５は、配信サーバ２０から送信されるクーポンを受信する。上述したように、クーポン受信部１２５が受信するクーポンは、発行されるクーポンを分割した分割クーポンである。なお、後述するように、グループの代表ユーザのモバイル端末１０にのみクーポンの全部が分割クーポンとして送信され、他のモバイル端末１０には空の分割クーポンが送信される場合もあり、この場合には、他のモバイル端末１０には、代表ユーザのクーポンを見るべきことを示すメッセージが表示される。
【００２９】
クーポン表示部１２６は、クーポン受信部１２５が受信したクーポンを表示する。クーポン表示部１２６は分割クーポンを表示することになる。グループに所属するモバイル端末１０のそれぞれが分割クーポンを表示することにより、全体としてクーポンの全体が表示されることになる。
【００３０】
＝＝配信サーバ２０の構成＝＝
図４は配信サーバ２０のハードウェア構成例を示す図である。配信サーバ２０は、ＣＰＵ２０１、メモリ２０２、記憶装置２０３、通信インタフェース２０４、入力装置２０５、出力装置２０６を備える。記憶装置２０３は、各種のデータやプログラムを記憶する、例えばハードディスクドライブやソリッドステートドライブ、フラッシュメモリなどである。ＣＰＵ２０１は記憶装置２０３に記憶されているプログラムをメモリ２０２に読み出して実行することにより各種の機能を実現する。通信インタフェース２０４は、通信ネットワーク３０に接続するためのインタフェースであり、例えば、イーサネット（登録商標）に接続するためのアダプタ、公衆電話回線網に接続するためのモデム、無線通信網に接続するための無線通信機などである。入力装置２０５は、データの入力を受け付ける、例えばキーボードやマウス、トラックボール、タッチパネル、マイクロフォンなどである。出力装置２０６は、データを出力する、例えばディスプレイやプリンタ、スピーカなどである。配信サーバ２０は複数の入力装置２０５及び出力装置２０６を備えるようにすることもできる。
【００３１】
図５は配信サーバ２０のソフトウェア構成例を示す図である。配信サーバ２０は、クーポン通知送信部２２１、クーポン受取要求受信部２２２、受取端末決定部２２３、クーポン決定部２２４、クーポン分割部２２５、クーポン送信部２２６、グループデータベース２４１、クーポンデータベース２４２を備える。クーポン通知送信部２２１、クーポン受取要求受信部２２２、受取端末決定部２２３、クーポン決定部２２４、クーポン分割部２２５、クーポン送信部２２６は、配信サーバ２０が備えるＣＰＵ２０１が記憶装置２０３に記憶されているプログラムをメモリ２０２に読み出して実行することにより実現され、グループデータベース２４１、クーポンデータベース２４２はメモリ２０２および記憶装置２０３が提供する記憶領域の一部として実現される。
【００３２】
グループデータベース２４１は、グループに関する情報（以下、グループ情報という。）を記憶する。図６は、グループデータベース２４１に記憶されるグループ情報の構成例を示す図である。グループ情報には、グループを特定するグループＩＤと、グループを代表するユーザ（代表ユーザ）を特定するユーザＩＤと、グループに所属するメンバーを示すユーザＩＤとが含まれる。グループに代表ユーザが設定されていない場合には、代表ユーザには「−」が設定される。メンバーには複数のユーザＩＤを設定される。
【００３３】
クーポンデータベース２４２は、クーポンを含む情報（以下、クーポン情報という。）を記憶する。図７はクーポンデータベース２４２に記憶されるクーポン情報の構成例を示す図である。クーポン情報には、クーポンＩＤに対応付けて、通知メッセージ、基準位置、最低人数、人数のクーポンが含まれる。通知メッセージは、ユーザに対してクーポンを発行する旨を示すメッセージである。通知メッセージはたとえばＨＴＭＬ（HyperText Markup Language）により記述することができる。基準位置はユーザが同じ場所に居ると判定するための範囲（以下、判定範囲という。）を決定するための基準となる位置であり、緯度および経度により表現することができる。後述するように、クーポンを発行するには、複数のユーザが同じ場所に居ることが必要となり、判定範囲は、たとえば基準位置から所定の距離以内の範囲とすることができる。基準位置に「−」が設定されている場合には、代表ユーザの現在位置を基準にして判定範囲が決定される。また、基準位置に「−」が設定され、かつグループ情報の代表ユーザに「−」が設定されている場合には、メンバーに含まれるユーザの現在位置に基づいて判定範囲が決定される。最低人数は、クーポンを発行するために必要なクーポンを利用する人数である。後述するように、クーポン受取要求を送信した判定範囲内のモバイル端末１０の数が最低人数を超えた場合にのみクーポンが発行される。人数別クーポンには人数に対応付けてクーポンが含まれる。人数別クーポンには複数のクーポンを含めることができる。これにより、クーポンを利用する人数に応じて異なる内容のクーポンを登録しておくことができる。
【００３４】
クーポン通知送信部２２１はクーポン通知をモバイル端末１０に送信する。クーポン通知送信部２２１は、配信するクーポンに係るクーポンＩＤと、通知先となるグループの指定を受け付けて、指定されたグループのグループ情報をグループデータベース２４１から読み出し、指定されたクーポンＩＤに対応するクーポン情報をクーポンデータベース２４２から読み出し、読み出したグループ情報のメンバーに含まれるユーザＩＤが示すユーザのモバイル端末１０に対して、読み出したクーポン情報のクーポンＩＤおよび通知メッセージを設定したクーポン通知を送信する。なお、たとえばユーザＩＤをメールアドレスなどにすることにより、ユーザＩＤからモバイル端末１０は特定可能であるものとする。
【００３５】
クーポン受取要求受信部２２２は、クーポン通知に応じてモバイル端末１０から送信されるクーポン受取要求を受信する。受取端末決定部２２３は、クーポンを発行するモバイル端末１０を決定する。本実施形態の受取端末決定部２２３は、クーポン受取要求を送信したモバイル端末１０のうち、現在位置が判定範囲に含まれるものを受取端末として決定する。
【００３６】
クーポン決定部２２４は、モバイル端末１０に配信するクーポンを決定する。本実施形態では、クーポン決定部２２４は、受取端末の数に応じたクーポンをクーポンデータベース２４２から取得するものとするが、たとえばクーポンを作成するルールを記憶するようにし、ルールに応じてクーポンを作成するようにしてもよい。
【００３７】
クーポン分割部２２５は、クーポン決定部２２４が決定したクーポンを受取端末の数に応じて分割して分割クーポンを作成する。クーポンの分割は、任意の手法により分割することができる。たとえば、クーポン分割部２２５は、クーポンの全体の文字数を受取端末の数で割った整数文字数分だけの文字列を抽出して各受取端末に割り当て、最後の受取端末に残りの文字を割り当てるようにすることができる。また、クーポン分割部２２５は、分割数に応じて分割すべきクーポン中の位置を示す分割情報を記憶しておき、分割情報に応じて分割するようにしてもよいし、クーポンに所定の分割可能な位置を示す文字を挿入しておき、当該位置で分割するようにしてもよい。分割クーポンは、クーポン送信部２２６により受取端末に送信される。
【００３８】
＝＝クーポンの配信処理＝＝
図８は本実施形態のクーポン配信システムにおいて実行されるクーポンの配信処理の流れを説明する図である。
【００３９】
まず、配信サーバ２０において、クーポン通知送信部２２１は、発行するクーポンを決定する（Ｓ４０１）。クーポン通知送信部２２１は、たとえばオペレータからクーポンＩＤの入力を受け付けるようにしてもよいし、ランダムにクーポン情報を選択するようにしてもよい。また、クーポン情報に発行日時を含めておき、現在日時よりも前でまだ配信していないクーポン情報を決定するようにしてもよい。次にクーポン通知送信部２２１は、発行先のグループを決定する（Ｓ４０２）。クーポン通知送信部２２１は、たとえばオペレータからグループＩＤの入力を受け付けるようにしてもよいし、ランダムにグループ情報を選択するようにしてもよい。また、グループ情報にグループの属性を含め、クーポンにも対象商品（サービスを含む）の属性を含めて属性の関連度の高いものを選択するようにしてもよい。
【００４０】
クーポン通知送信部２２１は、クーポンＩＤに対応するクーポン情報をクーポンデータベース２４２から読み出し（Ｓ４０３）、読み出したクーポン情報に含まれているクーポンＩＤおよび通知メッセージを設定したクーポン通知を作成し（Ｓ４０４）、グループ情報のメンバーに含まれているユーザＩＤのそれぞれについて、ユーザＩＤが示すユーザのモバイル端末１０にクーポン通知を送信する（Ｓ４０５）。クーポン通知送信部２２１は、たとえばユーザＩＤがメールアドレスである場合には、クーポン通知を電子メールとしてユーザＩＤを宛先にして送信することができる。また、ユーザＩＤに対応するモバイル端末１０のアドレス（電子メール、チャット、ショートメールなど任意の通信プロトコルにおいて宛先となる情報）を記憶するユーザ情報記憶部を設けるようにして、ユーザ情報記憶部から宛先のアドレスを取得するようにしてもよい。
【００４１】
モバイル端末１０のクーポン通知受信部１２１は、配信サーバ２０から受信したクーポン通知に含まれている通知メッセージを表示する（Ｓ４０６）。図９は、クーポン通知受信部１２１が通知メッセージを表示している状況を説明する図である。画面５１は、一例として、メッセンジャープログラムの実行中にクーポン通知５１１を表示している状態の画面例である。本実施形態では、メッセンジャープログラムを用いてチャットをしている２人（又は３人以上）のユーザをグループと、その両方に同時にクーポン通知を送信することを想定している。図９に示すように、画面５１において通知メッセージは一部のみが表示される。図９の例では、クーポン券をずらして折り曲げたような表示とすることで上部のみが表示されている。
【００４２】
画面５１において通知メッセージの下部を覆っている図形５１２がタップされると、図１０に示すように通知メッセージ５１１の全部が表示され、通知メッセージ５１１の下部にはクーポンを受け取る旨の指示を受け付けるスライダ５１３が表示される。スライダ５１３上のタッチパネルディスプレイ１０１上をスワイプしてスライダ５１３を左右方向にスライドさせると、クーポンを受け取る旨の指示が入力されることになる。グループのメンバーが２人である場合には、一方のユーザに対して図１０に示すように右にスワイプさせるように指示するスライダ５１３を表示するとともに、他方のユーザに対しては図１１に示すように左にスワイプさせるように指示するスライダ５１３を表示する。これにより、モバイル端末１０を物理的に並べるようにしてスワイプを行うようにユーザを誘導することが可能となる。
【００４３】
スライダ５１３がスライドされたことをもって、クーポン受取指示入力部１２２は、クーポンを受け取る旨の入力を受け付ける（Ｓ４０７）。なお、クーポン受取指示入力部１２２は、所定の時間内にスライダ５１３がスライドされない場合には、クーポンを受け取らない旨の入力がなされたと判断することができる。また、アイコン５１４がタップされたことによりクーポンを受け取らない旨の入力がなされたと判断するようにしてもよい。測位部１２３は、モバイル端末１０の現在位置を測定し（Ｓ４０９）、クーポン受取要求送信部１２４は、クーポン通知に含まれているクーポンＩＤと、モバイル端末１０のユーザを示すユーザＩＤと、測位部１２３が測定したモバイル端末１０の現在位置とを設定したクーポン受取要求を配信サーバ２０に送信する（Ｓ４１０）。
【００４４】
配信サーバ２０において、クーポン受取要求受信部２２２はモバイル端末１０から送信されるクーポン受取要求を受信する（Ｓ４１１）。ステップＳ４０５においてクーポン通知を送信した全てのモバイル端末１０からクーポン受取要求を受信していなければ（Ｓ４１２：ＮＯ）、所定時間経過するまで（Ｓ４１３：ＮＯ）、ステップＳ４１１に進みモバイル端末１０からのクーポン受取要求を待つ。上述したように、本実施形態のクーポン配信システムでは、同じ場所で最低人数以上のモバイル端末１０からクーポン受取要求を受信するまでの間はクーポンが発行されないため、クーポン通知を送信した全てのモバイル端末１０からクーポン受取要求を受信する、あるいは上記所定時間が経過するまでの間、モバイル端末１０では図１２に示すような待機画面５２が表示される。図１２の待機画面５２の例では他のパートナー（グループに所属する他のメンバー）がクーポンの受取要求を送信するまで待つように指示する旨のメッセージ５２１が表示される。
【００４５】
クーポン通知を送信した全てのモバイル端末１０からクーポン受取要求を受信した場合（Ｓ４１２：ＹＥＳ）、または上記所定時間が経過した場合（Ｓ４１３：ＹＥＳ）、受取端末決定部２２３は、クーポン受取要求を受信したモバイル端末１０を、クーポンの発行先となる受取端末として決定し（Ｓ４１４）、図１３に示すクーポンの発行処理を行う（Ｓ４１５）。
【００４６】
受取端末決定部２２３は、クーポン情報に基準位置が設定されている場合（Ｓ４２１：ＮＯ）、クーポン情報の基準位置をＰとする（Ｓ４２３）。受取端末決定部２２３は、クーポン情報の基準位置が「−」である場合には（Ｓ４２１：ＹＥＳ）、グループ情報の代表ユーザが「−」であれば（Ｓ４２３：ＹＥＳ）、最初に受信したクーポン受取要求に設定されている現在位置をＰとし（Ｓ４２４）、グループの代表ユーザにユーザＩＤが設定されていれば（Ｓ４２３：ＮＯ）、代表ユーザ（すなわち、グループ情報の代表ユーザに設定されているユーザＩＤが示すユーザ）のモバイル端末１０から受信したクーポン受取要求に設定されている現在位置をＰとする（Ｓ４２５）。なお、代表ユーザのモバイル端末１０からクーポン受取要求を受信しなかった場合にはクーポンを発行することなく処理を終了してもよい。
【００４７】
受取端末決定部２２３は、受取端末のそれぞれについて、受取端末から受信したクーポン受取要求に含まれている現在位置とＰとの間の距離を算出し（Ｓ４２６）、距離が所定の閾値を超えるモバイル端末１０を受取端末から除外する（Ｓ４２７）。これにより判定範囲内に現在位置が含まれるモバイル端末１０のみを受取端末として特定することができる。受取端末決定部２２３は、このようにして絞り込んだ受取端末の数を受取数としてカウントする（Ｓ４２８）。
【００４８】
受取数がクーポン情報の最低人数未満であった場合には（Ｓ４２９：ＮＯ）、クーポン送信部２２６は、クーポンを発行しない旨のメッセージを受取端末に送信する（Ｓ４３０）。一方、受取数がクーポン情報の最低人数以上であった場合には（Ｓ４２９：ＹＥＳ）、クーポン決定部２２４は、クーポン情報に人数別クーポンが複数含まれていれば（Ｓ４３１：ＹＥＳ）、受取数に対応するクーポンをクーポン情報から抽出して送信クーポンとし（Ｓ４３２）、クーポン情報にクーポンが１つのみ含まれている場合には（Ｓ４３１：ＮＯ）、当該クーポンを送信クーポンとして決定する（Ｓ４３３）。
【００４９】
クーポン分割部２２５は、グループ情報に代表ユーザが設定されている場合（Ｓ４３４：ＹＥＳ）、送信クーポンの全部を、代表ユーザが示すユーザＩＤに対応する分割クーポンとして決定するとともに（Ｓ４３５）、代表ユーザのクーポンを参照するように指示するメッセージ（たとえば「幹事のチケットをチェック！」というメッセージ）を、受取端末のうち、代表ユーザの受取端末以外のものに対応する分割クーポンとして決定する（Ｓ４３６）。一方、グループ情報に代表ユーザが設定されていない場合には（Ｓ４３４：ＮＯ）、クーポン分割部２２５は、送信クーポンを受取数で分割して各受取端末に割り当てる分割クーポンを決定する（Ｓ４３７）。クーポン分割部２２５は、たとえば送信クーポンの先頭から１文字ずつ受取端末に割り当てていき、最後の受取端末には残りの全文字を割り当てるようにすることができる。たとえば、「３割引き！」というクーポンを３つの受取端末に割り当てる場合、第１の受取端末に対して「３」、第２の受取端末に対して「割」、第３の受取端末に「引き！」を割り当てる。ここでクーポン分割部２２５は、分割クーポンを重複なく受取端末に割り当てるものとする。クーポン送信部２２６は、受取端末のそれぞれに対して、割り当てた分割クーポンを送信する（Ｓ４３８）。
【００５０】
図８に戻り、モバイル端末１０では、クーポン受信部１２５が分割クーポンを受信し（Ｓ４１６）、クーポン表示部１２６が分割クーポンを表示する（Ｓ４１７）。図１４ないし１６は、分割クーポンが表示された状態を説明する図である。図１４は２つのモバイル端末１０に表示される画面５３１および５３２の例を示しており、一方のモバイル端末１０に表示される画面５３１には「５０％」との分割クーポン５３３が表示され、他方のモバイル端末１０に表示される画面５３２には「ＯＦＦ！」との分割クーポン５３４が表示されている。したがって、この２つのモバイル端末１０を並べてはじめて「５０％ＯＦＦ！」というクーポンの内容が判明する。２つのモバイル端末１０は同じ場所にいるためこのように画面５３１および５３２を並べることでクーポン全体を表示させることが可能となる。
【００５１】
また、図１５および図１６は３つのモバイル端末１０に表示される画面の例を示しており、図１５は図１４と同様にクーポンの一部が各モバイル端末１０に表示される例、図１６は代表ユーザのモバイル端末１０にクーポンの全部が表示されて他のモバイル端末１０にはクーポンの内容は何も表示されない例である。図１５において、第１のモバイル端末１０に表示される画面５４１には「３」との分割クーポン５４４が表示され、第２のモバイル端末１０に表示される画面５４２には「割」との分割クーポン５４５が表示され、第３のモバイル端末１０に表示される画面５４３には「引き！」との分割クーポン５４６が表示されている。したがって、これら３つのモバイル端末１０を並べてはじめて「３割引き！」というクーポンの内容が判明する。図１５の例でも同様に３つのモバイル端末１０を並べることでクーポンの全体を表示させることが可能となる。一方、図１６において、代表ユーザのモバイル端末１０に表示される画面５５１には、クーポンの全部が分割クーポン５５４として表示されるとともに、他のユーザのモバイル端末１０に表示される画面５５２および５５３にはそれぞれ、代表ユーザ（幹事）の画面を閲覧するように指示するメッセージ５５５および５５６が表示されている。これにより代表ユーザ以外のメンバーは、同じ場所にいる代表ユーザのモバイル端末１０の画面５５１を見ることでクーポンの内容を把握することができる。
【００５２】
＝＝効果＝＝
以上説明したように、本実施形態のクーポン配信システムによれば、複数のユーザのグループに対してクーポンを発行することができる。したがって、グループを単位として商品やサービスを訴求することが可能となる。よって、クーポンによる広告効果や集客効果などを向上させることが可能となる。また、クーポンに係る商品やサービスをグループ内のユーザ間に共通の話題として提供することにもなり、ユーザ間のコミュニケーションを活発化することもできる。
【００５３】
また、本実施形態のクーポン配信システムでは、図９に示すように折り曲げた形態でのクーポン通知を表示しているので、クーポン通知により、メッセンジャープログラムなどのプログラムの実行を完全に中断しまわないようにすることができる。
【００５４】
また、本実施形態のクーポン配信システムでは、チャットを行っているユーザのそれぞれに同時にクーポン通知が届くことになるため、クーポンの内容に興味が出た場合には、ユーザ間でクーポンを話題としたコミュニケーションが行われることが期待される。これにより、ユーザ間のコミュニケーションを活発化させることができる。また、コミュニケーションが行われることによりクーポンを利用しようとする動機付けが大きくなされることになり、したがって、クーポンの対象物についての広告効果および集客効果を向上することができる。
【００５５】
また、本実施形態のクーポン配信システムでは、クーポン通知に応じてクーポン受取要求を送信したモバイル端末１０に対してのみクーポンを送信するので、クーポンを利用する意図の強いユーザに対して積極的にクーポンを配信することができる。したがって、クーポンによる集客効果や広告効果をさらに向上することが可能となる。
【００５６】
また、本実施形態のクーポン配信システムでは、クーポン通知に応じてクーポン受取要求を送信したモバイル端末１０のうち、基準位置を基準とした判定範囲内に存在するものに対してのみクーポンを配信することができる。したがって、確実に同じ場所に存在しているモバイル端末１０にクーポンを配信することができるので、クーポンによる集客効果や広告効果をさらに向上させることができる。また、クーポンを利用する意図の強いユーザが同じ場所に存在していることから、クーポンに関する話題が直接口頭で取り上げられる可能性が高い。これにより、ユーザのコミュニケーションを活発化させるとともに、ユーザによるクチコミ効果も期待することができる。
【００５７】
また、本実施形態のクーポン配信システムでは、分割クーポンを重複なく各ユーザに送信することができる。分割クーポンを受け取ったユーザは、クーポン全体の内容を見るためには、グループ全員（本実施形態ではクーポン受取要求を送信した者のみ）の画面を合わせて見る必要があるため、グループ内のユーザが共同してクーポン全体の内容を解読しようと行動することが期待され、これによりグループに所属するユーザ間の連帯感を高めることができる。
【００５８】
＝＝変形例＝＝
なお、本実施形態のクーポン配信システムでは、クーポンを配信することを前提としたが、これに限らず、何らかの権利の表象された情報を配信するシステムとして用いることができる。たとえば、本実施形態のクーポン配信システムは、映画館への入場券などのチケットを配信し、商品券などの金券を配信し、Ｗｅｂサービスにアクセスするためのキーを配信するシステムとして運用することができる。この場合にも、上記のような各種の権利が表章された情報を分割した分割情報として各受取端末に送信するようにする。たとえば、チケットとして予約番号を発行する場合に、予約番号を表現した文字列を分割して送信するようにすることができる。
【００５９】
また、本実施形態では、クーポンは文字列であることを前提としたが、これに限らず、静止画像や動画像などであってもよい。たとえば、クーポンの内容をバーコードやＱＲコード（登録商標）の形式で符号化した画像を用意し、この画像を分割して分割クーポンとして送信するようにしてもよい。この場合、画像が表示された画面を並べるとバーコードやＱＲコード（登録商標）などの符号化画像の読み取りができなくなるようなときには、グループ情報の代表ユーザにユーザＩＤを設定しておき、代表ユーザにのみ符号化画像を送信し、他のメンバーには代表ユーザの画面を参照するように指示するメッセージを送信するようにすることが好ましい。
【００６０】
また、本実施形態では、クーポン通知に応じてクーポン受取要求を送信したモバイル端末１０のうち現在位置が判定範囲に含まれるものに対してのみ分割クーポンを配信するものとしたが、これに限らず、クーポン通知およびそれに応じたクーポン受取要求の受信を求めず、グループに所属するユーザの数に応じて分割した分割クーポンをグループに所属するユーザのモバイル端末１０にいきなり送信するようにしてもよいし、場所の限定をせず、クーポン通知に応じてクーポン受取要求を送信したモバイル端末１０の全部を受取端末と決定するようにしてもよい。この場合にも、ユーザはグループに所属するユーザの全員が揃わなければクーポンの内容が把握できないため、ユーザが同じ場所に集まるように動機付けをすることができ、このように同じ場所に集合した複数のユーザを対象としたクーポンの配布を行うことを可能とするとともに、ユーザ間の連帯感を高め、またユーザ間のコミュニケーションを活発化させることも可能となる。
【００６１】
また、本実施形態では、基準位置（所定の位置あるいは代表ユーザの現在位置）を中心として所定距離内の範囲を判定範囲としたが、これに限らず、たとえば３つ以上の緯度経度の点により表現する多角形を、判定範囲を表す情報としてクーポン情報に含めておき、この多角形内に各モバイル端末１０の現在位置が含まれているか否かを判定するようにしてもよい。
【００６２】
また、本実施形態では、代表ユーザが設定されている場合には必ず代表ユーザにのみクーポンの全部が送信されるものとしたが、たとえばクーポン情報に、代表ユーザにのみクーポンを送信するか否かを示すフラグを含め、図１３のステップＳ４３４に当該フラグに応じて処理を分岐するようにしてもよい。
【００６３】
また、本実施形態では、配信サーバ２０は１台のコンピュータであるものとしたが、これに限らず、複数のコンピュータで構成するようにしてもよい。たとえば複数台のコンピュータにより１つの仮想的なコンピュータを形成するようにすることもできるし、グループデータベース２４１およびクーポンデータベース２４２の少なくともいずれかを他のデータベースサーバにより管理させるようにし、データベースサーバに配信サーバ２０からアクセスするようにしてもよい。
【００６４】
また、本実施形態では、ＧＰＳによりモバイル端末１０の位置を計測するものとしたが、これに限らず、たとえばＧＰＳ以外のＧＮＳＳ（Global Navigation Satellite Systems; 全地球測位システム）を用いるようにしてもよいし、ＧＰＳに加えてあるいはＧＰＳに代えて、ジャイロや加速度センサ、Ｂｌｕｅｔｏｏｔｈ（登録商標）などを用いて測位するようにしてもよい。また、モバイル端末１０が自身の位置を特定せず、配信サーバ２０がルータや基地局などの位置を予め記録しておき、モバイル端末１０のアクセスしたルータや基地局などを特定し、その位置からモバイル端末１０の位置を推定するようにしてもよい。すなわち、モバイル端末１０の位置を計測できれば任意の手法を用いることができる。
【００６５】
また、本実施形態では、クーポン通知送信部２２１はグループの指定を受け付けるものとしたが、これに限らず、クーポン通知送信部２２１がクーポンを配信するグループを決定するようにしてもよい。この場合、たとえば配信サーバ２０にユーザやグループの属性を予め登録しておき、この属性に応じてクーポンの配信先のグループを決定するようにすることもできる。
【００６６】
以上、本実施形態について説明したが、上記実施形態は本発明の理解を容易にするためのものであり、本発明を限定して解釈するためのものではない。本発明は、その趣旨を逸脱することなく、変更、改良され得ると共に、本発明にはその等価物も含まれる。
【符号の説明】
【００６７】
１０    モバイル端末
２０    配信サーバ
３０    通信ネットワーク
１２１  クーポン通知受信部
１２２  クーポン受取指示入力部
１２３  測位部
１２４  クーポン受取要求送信部
１２５  クーポン受信部
１２６  クーポン表示部
２２１  クーポン通知送信部
２２２  クーポン受取要求受信部
２２３  受取端末決定部
２２４  クーポン作成部
２２５  クーポン分割部
２２６  クーポン送信部
２４１  グループデータベース
２４２  クーポンデータベース
【図１】
2014006710.tif 000003
【図２】
2014006710.tif 000004
【図３】
2014006710.tif 000005
【図４】
2014006710.tif 000006
【図５】
2014006710.tif 000007
【図６】
2014006710.tif 000008
【図７】
2014006710.tif 000009
【図８】
2014006710.tif 000010
【図９】
2014006710.tif 000011
【図１０】
2014006710.tif 000012
【図１１】
2014006710.tif 000013
【図１２】
2014006710.tif 000014
【図１３】
2014006710.tif 000015
【図１４】
2014006710.tif 000016
【図１５】
2014006710.tif 000017
【図１６】
2014006710.tif 000018
【国際調査報告】
2014006710.tif 000019
2014006710.tif 000020